(57)【要約】【課題】本発明は液晶パネルを開示し、さらに該液晶パネルの駆動方法及び該液晶パネルを備える液晶ディスプレイを開示する。【解決手段】複数の画素、複数本の電荷充電ゲート線と複数本の電荷共有ゲート線を含み、前記複数の画素はアレイ方式で配列され、行ごとの画素は1本の電荷充電ゲート線と1本の電荷共有ゲート線に電気的に連結され、ｎ行目の画素に電気的に連結された電荷共有ゲート線とｎ＋ｍ行目の画素に電気的に連結された電荷充電ゲート線は電気的に連結され、前記液晶パネルが２Ｄ表示される時、行ごとの画素に電気的に連結された電荷充電ゲート線に第１駆動信号が印加され、前記液晶パネルが３Ｄ表示される時、行ごとの画素に電気的に連結された電荷充電ゲート線に第２駆動信号が印加される。本発明の液晶パネルは３Ｄ表示され時にＩＳ残像及び左右眼の輝度差を発生しない。【選択図】図６
2017502342.tif 000002
【特許請求の範囲】
【請求項１】
複数の画素、複数本の電荷充電ゲート線と複数本の電荷共有ゲート線を含む液晶パネルであって、
前記複数の画素はアレイ方式で配列され、行ごとの画素は1本の電荷充電ゲート線と1本の電荷共有ゲート線に電気的に連結され、ｎ行目の画素に電気的に連結された電荷共有ゲート線とｎ＋ｍ行目の画素に電気的に連結された電荷充電ゲート線は電気的に連結され、
前記液晶パネルが２Ｄ表示される時、行ごとの画素に電気的に連結された電荷充電ゲート線に第１駆動信号が印加され、前記液晶パネルが３Ｄ表示される時、行ごとの画素に電気的に連結された電荷充電ゲート線に第２駆動信号が印加される
ことを特徴とする液晶パネル。
【請求項２】
前記第２駆動信号のゲートオン信号が持続する時間は少なくとも前記第１駆動信号のゲートオン信号が持続する時間のｍ倍であることを特徴とする請求項１に記載の液晶パネル。
【請求項３】
前記第２駆動信号は、交互に配列されたゲートオン信号とゲートオフ信号を含む間隔型の駆動信号であることを特徴とする請求項２に記載の液晶パネル。
【請求項４】
前記ゲートオン信号と前記ゲートオフ信号が持続する時間はいずれも前記第１駆動信号のゲートオン信号が持続する時間と同じであることを特徴とする請求項３に記載の液晶パネル。
【請求項５】
複数の画素、複数本の電荷充電ゲート線と複数本の電荷共有ゲート線を含む液晶パネルの駆動方法であって、
前記複数の画素はアレイ方式で配列され、行ごとの画素は1本の電荷充電ゲート線と1本の電荷共有ゲート線に電気的に連結され、ｎ行目の画素に電気的に連結された電荷共有ゲート線とｎ＋ｍ行目の画素に電気的に連結された電荷充電ゲート線は電気的に連結され、
前記駆動方法は、
前記液晶パネルが２Ｄ表示される時、行ごとの画素に電気的に連結された電荷充電ゲート線に第１駆動信号を印加することと、
前記液晶パネルが３Ｄ表示される時、行ごとの画素に電気的に連結された電荷充電ゲート線に第２駆動信号を印加することと、
を含むことを特徴とする駆動方法。
【請求項６】
前記第２駆動信号のゲートオン信号が持続する時間は少なくとも前記第１駆動信号のゲートオン信号が持続する時間のｍ倍であることを特徴とする請求項５に記載の駆動方法。
【請求項７】
前記第２駆動信号は、交互に配列されたゲートオン信号とゲートオフ信号を含む間隔型の駆動信号であることを特徴とする請求項６に記載の駆動方法。
【請求項８】
前記ゲートオン信号と前記ゲートオフ信号が持続する時間はいずれも前記第１駆動信号のゲートオン信号が持続する時間と同じであることを特徴とする請求項７に記載の駆動方法。
【請求項９】
複数の画素、複数本の電荷充電ゲート線と複数本の電荷共有ゲート線を含む液晶パネルと、前記液晶パネルに対向するように設置され、前記液晶パネルに映像を表示させるために、液晶パネルに表示光源を提供するバックライトモジュールと、を備える液晶ディスプレイであって、
前記複数の画素はアレイ方式で配列され、行ごとの画素は1本の電荷充電ゲート線と1本の電荷共有ゲート線に電気的に連結され、ｎ行目の画素に電気的に連結された電荷共有ゲート線とｎ＋ｍ行目の画素に電気的に連結された電荷充電ゲート線は電気的に連結され、
前記液晶パネルが２Ｄ表示される時、行ごとの画素に電気的に連結された電荷充電ゲート線に第１駆動信号が印加され、前記液晶パネルが３Ｄ表示される時、行ごとの画素に電気的に連結された電荷充電ゲート線に第２駆動信号が印加される
ことを特徴とする液晶ディスプレイ。
【請求項１０】
前記第２駆動信号のゲートオン信号が持続する時間は少なくとも前記第１駆動信号のゲートオン信号が持続する時間のｍ倍であることを特徴とする請求項９に記載の液晶ディスプレイ。
【請求項１１】
前記第２駆動信号は、交互に配列されたゲートオン信号とゲートオフ信号を含む間隔型の駆動信号であることを特徴とする請求項１０に記載の液晶ディスプレイ。
【請求項１２】
前記ゲートオン信号と前記ゲートオフ信号が持続する時間はいずれも前記第１駆動信号のゲートオン信号が持続する時間と同じであることを特徴とする請求項１１に記載の液晶ディスプレイ。
【発明の詳細な説明】
【技術分野】
【０００１】
本発明は液晶表示分野に属し、さらに具体的には、液晶パネル及びその駆動方法、液晶ディスプレイに関する。
【背景技術】
【０００２】
表示技術の継続的な発展と進歩に伴い、見る人に空間視覚を発生させる３Ｄ（Ｔｈｒｅｅ  Ｄｉｍｅｎｓｉｏｎ）表示技術が既に開発され、左眼と右眼を利用して異なる画面をそれぞれ受信し、その後、大脳を介して画面情報に対して重ね合わせ再構成を行い、前後、上下、左右、遠近などの立体方向効果を有する画面を構成する。
【０００３】
現在の３Ｄ表示装置とは、一般的に２Ｄ／３Ｄ切替を実現できる表示装置を指し、３Ｄ表示モードが起動されない場合、２Ｄ表示モードで表示し、３Ｄ表示モードが起動された後、３Ｄ表示モードで表示する。
【０００４】
大型の３Ｄ表示装置において、２Ｄ表示モードである場合、視野角を向上し色ずれを低減させるために、表示パネルは一般的に低い色ずれ（Ｌｏｗ  ｃｏｌｏｒ  ｓｈｉｆｔ）に設計し、一般的に画素（Ｐｉｘｅｌ）のドメイン（Ｄｏｍａｉｎ）を増加させる。一つの画素は通常４つのｄｏｍａｉｎに分けることができ、一つの画素がＭａｉｎ領域とＳｕｂ領域に分けられた場合、一つの画素は８つのｄｏｍａｉｎを有することができ、よって表示パネルの視野角を向上し、且つ表示パネルの色ずれを改善することができる。図１は従来技術の低い色ずれの表示パネルにおける画素の等価回路図である。図１に示すように、一つの画素をＭａｉｎ領域１１とＳｕｂ領域１２に分け、電荷充電ゲート線（Ｃｈａｒｇｅ  Ｌｉｎｅ）ＣＬがターンオンされた場合、Ｍａｉｎ領域１１の薄膜トランジスタ（Ｔｈｉｎ  Ｆｉｌｍ  Ｔｒａｎｓｉｓｔｏｒ、ＴＦＴ）ＭＴ及びＳｕｂ領域１２の薄膜トランジスタ（Ｔｈｉｎ  Ｆｉｌｍ  Ｔｒａｎｓｉｓｔｏｒ、ＴＦＴ）ＳＴを介して電荷をそれぞれ画素のＭａｉｎ領域とＳｕｂ領域に伝送し、電荷充電ゲート線ＣＬがターンオフされ、電荷共有ゲート線（Ｓｈａｒｅ  Ｌｉｎｅ）ＳＬがターンオンされた場合、電荷共有ゲート線ＳＬに電気的に連結されたＳＬＴは画素のＳｕｂ領域１２における一部の電荷をコンデンサＣｂに放電する。このように、画素のＭａｉｎ領域１１とＳｕｂ領域１２には電圧差が発生し、よって色ずれを低減させる目的を達成する。
【０００５】
３Ｄ表示モードの状態において、図２ａに示すように、１フレーム（ｏｎｅ  ｆｒａｍｅ）反転駆動方式を採用する場合、画素に蓄えられた電圧の正負の極性の平均値は相殺できないため、表示パネルに映像残存、即ちＩＳ残像が発生する。図２ｂに示すように、ＩＳ残像を解決する方法は、１フレーム反転駆動方式を２フレーム（ｔｗｏ  ｆｒａｍｅ）反転駆動方式に変更することによって、画素に蓄えられた電圧の正負の極性の平均値を一致させることである。しかし、ｔｗｏ  ｆｒａｍｅ反転駆動方式に変更した後、コンデンサＣｂ（図１参照）が存在するため、画素に蓄えられた電圧の正負の極性が変化する時に画素への充電不一致が発生し、よって画面が左右眼に入る時に輝度の不一致が発生する。
【０００６】
さらに、表示パネルの画素の駆動設計において、行ごとの画素は独立した電荷充電ゲート線ＣＬと電荷共有ゲート線ＳＬによって駆動される。そのため、表示パネルが表示される時、それぞれ電荷充電ゲート線ＣＬと電荷共有ゲート線ＳＬのオン又はオフを制御することで表示パネルに低い色ずれを実現させる。表示パネルの低い色ずれをオフにする必要がある場合、電荷共有ゲート線ＳＬをオフにすればよいが、このような電荷充電ゲート線ＣＬと電荷共有ゲート線ＳＬのそれぞれ独立した設計において、電荷充電ゲート線ＣＬと電荷共有ゲート線ＳＬに信号を提供するために、２倍の数のＣＯＦ（Ｃｈｉｐ  ｏｎ  Ｆｉｌｍ、チップオンフィルム）を使用しなければならない。
【０００７】
ＣＯＦの使用数を減らし、コストを低減するために、従来技術はさらに後で起動される電荷充電ゲート線ＣＬによって前の電荷共有ゲート線ＳＬをターンオンするもう一つの色ずれの低い表示パネルの駆動設計を提供する。図３に示すように、例えば、Ｎ＋２本目の電荷充電ゲート線ＣＬをオンにすることでＮ本目の電荷共有ゲート線ＳＬをターンオンすることができる。しかし、このような駆動設計は個別に電荷共有ゲート線ＳＬのゲートオン又はゲートオフを制御することができず、そのため電荷共有ゲート線ＳＬをターンオフにすることで表示パネルの低い色ずれをオフにすることができず、３Ｄ表示される際にＩＳ残像及び左右眼の輝度差が発生する可能性がある。
【発明の概要】
【０００８】
上記従来技術に存在する問題を解決するために、本発明は、複数の画素、複数本の電荷充電ゲート線と複数本の電荷共有ゲート線を含む液晶パネルを提供することを目的とし、前記複数の画素はアレイ方式で配列され、行ごとの画素は1本の電荷充電ゲート線と1本の電荷共有ゲート線に電気的に連結され、ｎ行目の画素に電気的に連結された電荷共有ゲート線とｎ＋ｍ行目の画素に電気的に連結された電荷充電ゲート線は電気的に連結され、前記液晶パネルが２Ｄ表示される時、行ごとの画素に電気的に連結された電荷充電ゲート線に第１駆動信号が印加され、前記液晶パネルが３Ｄ表示される時、行ごとの画素に電気的に連結された電荷充電ゲート線に第２駆動信号が印加される。
【０００９】
さらに、前記第２駆動信号のゲートオン信号が持続する時間は少なくとも前記第１駆動信号のゲートオン信号が持続する時間のｍ倍である。
【００１０】
さらに、前記第２駆動信号は、交互に配列されたゲートオン信号とゲートオフ信号を含む間隔型の駆動信号である。
【００１１】
さらに、前記ゲートオン信号と前記ゲートオフ信号が持続する時間はいずれも前記第１駆動信号のゲートオン信号が持続する時間と同じである。
【００１２】
本発明のもう一つの目的は、さらに、複数の画素、複数本の電荷充電ゲート線と複数本の電荷共有ゲート線を含む液晶パネルを駆動する方法を提供することであり、前記複数の画素はアレイ方式で配列され、行ごとの画素は1本の電荷充電ゲート線と1本の電荷共有ゲート線に電気的に連結され、ｎ行目の画素に電気的に連結された電荷共有ゲート線とｎ＋ｍ行目の画素に電気的に連結された電荷充電ゲート線は電気的に連結され、前記駆動方法は、前記液晶パネルが２Ｄ表示される時、行ごとの画素に電気的に連結された電荷充電ゲート線に第１駆動信号を印加することと、前記液晶パネルが３Ｄ表示される時、行ごとの画素に電気的に連結された電荷充電ゲート線に第２駆動信号を印加することとを含む。
【００１３】
さらに、前記第２駆動信号のゲートオン信号が持続する時間は少なくとも前記第１駆動信号のゲートオン信号が持続する時間のｍ倍である。
【００１４】
さらに、前記第２駆動信号は、交互に配列されたゲートオン信号とゲートオフ信号を含む間隔型の駆動信号である。
【００１５】
さらに、前記ゲートオン信号と前記ゲートオフ信号が持続する時間はいずれも前記第１駆動信号のゲートオン信号が持続する時間と同じである。
【００１６】
本発明のもう一つの目的は、複数の画素、複数本の電荷充電ゲート線と複数本の電荷共有ゲート線を含む液晶パネル、及び前記液晶パネルに対向するように設置され、前記液晶パネルに映像を表示させるために、液晶パネルに表示光源を提供するバックライトモジュールを含む液晶ディスプレイをさらに提供することであり、前記複数の画素はアレイ方式で配列され、行ごとの画素は1本の電荷充電ゲート線と1本の電荷共有ゲート線に電気的に連結され、ｎ行目の画素に電気的に連結された電荷共有ゲート線とｎ＋ｍ行目の画素に電気的に連結された電荷充電ゲート線は電気的に連結され、前記液晶パネルが２Ｄ表示される時、行ごとの画素に電気的に連結された電荷充電ゲート線に第１駆動信号が印加され、前記液晶パネルが３Ｄ表示される時、行ごとの画素に電気的に連結された電荷充電ゲート線に第２駆動信号が印加される。
【００１７】
さらに、前記第２駆動信号のゲートオン信号が持続する時間は少なくとも前記第１駆動信号のゲートオン信号が持続する時間のｍ倍である。
【００１８】
さらに、前記第２駆動信号は、交互に配列されたゲートオン信号とゲートオフ信号を含む間隔型の駆動信号である。
【００１９】
さらに、前記ゲートオン信号と前記ゲートオフ信号が持続する時間はいずれも前記第１駆動信号のゲートオン信号が持続する時間と同じである。
【００２０】
本発明の液晶パネル及びその駆動方法、液晶ディスプレイは、３Ｄ表示される際にＩＳ残像及び左右眼の輝度差を発生させない。
【図面の簡単な説明】
【００２１】
【図１】従来技術の低い色ずれの表示パネルにおける画素の等価回路図である。
【図２】図２aと図２ｂは、それぞれ従来技術の低い色ずれの表示パネルにおいて３Ｄ表示を行うことを示す図である。
【図３】従来技術の低い色ずれの表示パネルを駆動することを示す図である。
【図４】本発明の実施例による液晶パネルの構造を示す図である。
【図５】図４に示された液晶パネルを駆動して２Ｄ表示を行うことを示す図である。
【図６】図４に示された液晶パネルを駆動して３Ｄ表示を行うことを示す図である。
【図７】図４に示されたもう一つの液晶パネルを駆動して３Ｄ表示を行うことを示す図である。
【図８】図４に示された液晶パネルを備える液晶ディスプレイの構造を示す図である。
【発明を実施するための形態】
【００２２】
以下、本発明を解釈するために、本発明の実施例について詳細に説明し、その実例は図面に示され、同一符号は常に同一部材を示す。以下の説明において、公知の構造及び／又は機能に対する不必要な詳述による本発明の構想との混同を回避するために、公知の構造及び／又は機能に対する不必要な詳述を省略することができる。
【００２３】
図４は本発明の実施例による液晶パネルの構造を示す図である。
【００２４】
図４に示すように、本発明の実施例による液晶パネル１は液晶ディスプレイに用いられ、液晶ディスプレイにおいてバックライトモジュールと対向するように設置され、液晶パネル１に映像を表示させるために、バックライトモジュールは液晶パネル１に表示光源を提供する。液晶パネル１は、表示領域１００、タイミングコントローラ２００、ゲートドライバ３００、データドライバ４００を含む。
【００２５】
表示領域１００は、表示領域１００にアレイ方式で配列された複数の画素Ｐを含む。本実施例の液晶パネル１の色ずれを低減させるために、それぞれの画素ＰはＭａｉｎ領域１１０とＳｕｂ領域１２０に分けられる。それぞれの画素Ｐは三つの薄膜トランジスタ（Ｔｈｉｎ  Ｆｉｌｍ  Ｔｒａｎｓｉｓｔｏｒ、ＴＦＴ）、共有コンデンサ１３２、Ｍａｉｎ領域１１０に用いられる液晶コンデンサ１１２及び蓄積コンデンサ１１３並びにＳｕｂ領域１２０に用いられる液晶コンデンサ１２２及び蓄積コンデンサ１２３を含み、三つのＴＦＴはそれぞれ共有ＴＦＴ１３１、Ｍａｉｎ領域１１０に用いられるＴＦＴ１１１及びＳｕｂ領域１２０に用いられるＴＦＴ１２１である。ＴＦＴ１１１のゲートとＴＦＴ１２１のゲートはいずれも電荷充電ゲート線１４０に電気的に連結され、ＴＦＴ１１１のドレインとＴＦＴ１２１のドレインはいずれもデータ線１６０に電気的に連結され、ＴＦＴ１１１のソースは液晶コンデンサ１１２と蓄積コンデンサ１１３に電気的に連結され、ＴＦＴ１２１のソースは液晶コンデンサ１２２と蓄積コンデンサ１２３に電気的に連結され、ＴＦＴ１３１のゲートは電荷共有ゲート線１５０に電気的に連結され、ＴＦＴ１３１のドレインはＴＦＴ１２１のソースに電気的に連結され、ＴＦＴ１３１のソースは共有コンデンサ１３２に電気的に連結される。
【００２６】
タイミングコントローラ２００は、表示パネル１のシステムボード（図示せず）から受信したデジタル映像データを改めて配置し、改めて配置されたデジタル映像データをデータドライバ４００に提供する。タイミングコントローラ２００は、システムボードから例えば垂直同期信号、水平同期信号、データイネーブル信号及びクロックを受信し、データドライバ４００と走査ドライバ３００の操作タイミングを制御するためのタイミング制御信号を生成する。
【００２７】
データドライバ４００は、タイミングコントローラ２００に制御されデジタル映像データＲＧＢをラッチし、且つラッチされたデジタル映像データＲＧＢを変換し、よって、正のデータ電圧と負のデータ電圧を生成し、その後、データドライバ４００は各データ線１６０に正のデータ電圧と負のデータ電圧を提供する。走査ドライバ３００は、タイミングコントローラ２００に制御され、順番に各電荷充電ゲート線１４０に約１水平サイクル（約１フレーム時間）の幅を有するゲートオン信号を提供する。例えば、ある1本の電荷充電ゲート線１４０に十分に大きな正の電圧が印加された場合、この電荷充電ゲート線１４０に接続されたすべてのＴＦＴのゲートはいずれもターンオンされ、この時、該電荷充電ゲート線１４０におけるすべてのＴＦＴのドレインはすべてのデータ線１６０に接続され、さらに、各データ線１６０におけるデータ電圧（正のデータ電圧又は負のデータ電圧）を介して該電荷充電ゲート線１４０に対応するすべての画素Ｐに対して適切な電圧に達するまで充電する。次に、該電荷充電ゲート線１４０に十分に大きな負電圧を印加し、該電荷充電ゲート線１４０に連結されたすべてのＴＦＴのゲートをオフにし、次に改めてターンオンするまで、電荷を液晶コンデンサ１１２と液晶コンデンサ１２２に保存させ、この時、次の電荷充電ゲート線１４０をターンオンし、次の電荷充電ゲート線１４０における各画素Ｐを充電する。このように、順番に画面全体の映像データを書き込み、改めて１本目の電荷充電ゲート線１４０から始める（該重複の周波数は１フレーム時間の逆数である）。
【００２８】
以下、本発明の実施例の液晶パネルの駆動について詳細に説明する。図５は図４に示された液晶パネルを駆動して２Ｄ表示を行うことを示す図である。図６は図４に示された液晶パネルを駆動して３Ｄ表示を行うことを示す図である。ここで説明しなければならないことは、本発明の実施例における液晶パネル１の２Ｄ表示と３Ｄ表示を行う時に使用される駆動信号は異なり、具体的には下記のとおりである。
【００２９】
図４、図５及び図６に示すように、本発明の実施例の液晶パネル１は、複数の画素Ｐ、複数本の電荷充電ゲート線１４０及び複数本の電荷共有ゲート線１５０を含む。複数の画素Ｐはアレイ方式で配列され、行ごとの画素Ｐは1本の電荷充電ゲート線１４０と1本の電荷共有ゲート線１５０に電気的に連結され、ｎ行目の画素Ｐに電気的に連結された電荷共有ゲート線１５０とｎ＋ｍ行目の画素Ｐに電気的に連結された電荷充電ゲート線１４０は電気的に連結され、ｍとｎはいずれも正の整数である。
【００３０】
上記のように、液晶パネル１の駆動過程において、液晶パネル１において２Ｄ表示を行う場合、ｎ行目の画素Ｐに電気的に連結された電荷充電ゲート線１４０に第１駆動信号１７０が印加され、Ｍａｉｎ領域１１０とＳｕｂ領域１２０はいずれも完全に充電され、且つＶｍ＝Ｖｓｕｂであり、ＶｍはＭａｉｎ領域１１０への充電電圧であり、ＶｓｕｂはＳｕｂ領域１２０への充電電圧であり、ｎ＋ｍ行目の画素Ｐに電気的に連結された電荷充電ゲート線１４０に第１駆動信号１７０が印加された場合、ｎ行目の画素Ｐに電気的に連結された電荷共有ゲート線１５０とｎ＋ｍ行目の画素Ｐに電気的に連結された電荷充電ゲート線１４０は電気的に連結されるため、ｎ行目の画素Ｐに電気的に連結された電荷共有ゲート線１５０に第１駆動信号１７０が印加され、このように、Ｓｕｂ領域１２０から共有コンデンサ１３２へ放電させ、さらにＶｍ＞Ｖｓｕｂにし、液晶パネル１において２Ｄ表示する際に低い色ずれ表示を実現する。第１駆動信号１７０のゲートオン（ＯＮ）信号（又はハイレベルと称する）が持続する時間はＴである。
【００３１】
液晶パネル１が３Ｄ表示される時、ｎ行目の画素Ｐに電気的に連結された電荷充電ゲート線１４０に第２駆動信号１８０が印加され、該第２駆動信号１８０のゲートオン（ＯＮ）信号（又はハイレベルと称する）が持続する時間内に、ｎ＋１行目の画素Ｐからｎ＋ｍ行目の画素Ｐまでにそれぞれ電気的に連結された電荷充電ゲート線１４０にはいずれも第２駆動信号１８０のゲートオン（ＯＮ）信号（又はハイレベルと称する）が印加され、この時、ｎ行目の画素Ｐに電気的に連結された電荷共有ゲート線１５０とｎ＋ｍ行目の画素Ｐに電気的に連結された電荷充電ゲート線１４０は電気的に連結されるため、ｎ行目の画素Ｐに電気的に連結された電荷共有ゲート線１５０にも第２駆動信号１８０のゲートオン（ＯＮ）信号（又はハイレベルと称する）が印加され、このように、Ｓｕｂ領域１２０の共有コンデンサ１３２がターンオンされ、Ｍａｉｎ領域１１０、Ｓｕｂ領域１２０及び共有コンデンサ１３２はいずれも完全に充電され、且つＶｍ＝Ｖｓｕｂ＝Ｖ１３２であり、ＶｍはＭａｉｎ領域１１０への充電電圧であり、ＶｓｕｂはＳｕｂ領域１２０への充電電圧であり、Ｖ１３２は共有コンデンサ１３２への充電電圧であり、ｎ＋ｍ行目の画素Ｐに電気的に連結された電荷充電ゲート線１４０に第２駆動信号１８０のゲートオン（ＯＮ）信号（又はハイレベルと称する）が印加された場合、ｎ行目の画素Ｐに電気的に連結された電荷共有ゲート線１５０にも第２駆動信号１８０のゲートオン（ＯＮ）信号（又はハイレベルと称する）が印加され、その前に共有コンデンサ１３２は完全に充電されるため、Ｓｕｂ領域１２０は共有コンデンサ１３２へ放電することができず、Ｖｍ＝Ｖｓｕｂにし、さらに、液晶パネル１に３Ｄ表示される時に低い色ずれを無効にし、ＩＳ残像及び左右眼の輝度差が発生しない。
【００３２】
上記目的を実現するために、第２駆動信号１８０のゲートオン（ＯＮ）信号（又はハイレベルと称する）が持続する時間は、少なくとも第１駆動信号１７０のゲートオン（ＯＮ）信号（又はハイレベルと称する）が持続する時間のｍ倍であり、即ち、第２駆動信号１８０のゲートオン（ＯＮ）信号（又はハイレベルと称する）が持続する時間は少なくともｍＴである。
【００３３】
本発明のもう一つの実施例によれば、図７に示すように、液晶パネル１が３Ｄ表示される時、第２駆動信号１８０は間隔型の駆動信号１９０へ変換可能であり、該間隔型の駆動信号１９０は、第１駆動信号１７０のゲートオン（ＯＮ）信号（又はハイレベルと称する）が持続する時間Ｔをパルス幅（即ち、持続する時間）とするゲートオン（ＯＮ）信号又は、
該間隔型の駆動信号１９０が持続する時間は少なくとも第１駆動信号１７０のゲートオン（ＯＮ）信号（又はハイレベルと称する）が持続する時間のｍ倍であり、即ち、間隔型の駆動信号１９０が持続する時間は少なくともｍＴである。間隔型の駆動信号１９０は持続的にゲートオンする第２駆動信号１８０に比べ、その持続時間をよりコントロールしやすく、点滅も発生しない。
【００３４】
図４、図５及び図７に示すように、液晶パネル１の駆動過程において、液晶パネル１に２Ｄ表示される場合、ｎ行目の画素Ｐに電気的に連結された電荷充電ゲート線１４０に第１駆動信号１７０が印加され、Ｍａｉｎ領域１１０とＳｕｂ領域１２０はいずれも完全に充電され、Ｖｍ＝Ｖｓｕｂであり、ＶｍはＭａｉｎ領域１１０への充電電圧であり、ＶｓｕｂはＳｕｂ領域１２０への充電電圧であり、ｎ＋ｍ行目の画素Ｐに電気的に連結された電荷充電ゲート線１４０に第１駆動信号１７０が印加された場合、ｎ行目の画素Ｐに電気的に連結された電荷共有ゲート線１５０とｎ＋ｍ行目の画素Ｐに電気的に連結された電荷充電ゲート線１４０は電気的に連結されるため、ｎ行目の画素Ｐに電気的に連結された電荷共有ゲート線１５０に第１駆動信号１７０が印加され、このように、Ｓｕｂ領域１２０から共有コンデンサ１３２へ放電させ、さらにＶｍ＞Ｖｓｕｂにし、液晶パネル１は２Ｄ表示される時に低い色ずれ表示を実現する。第１駆動信号１７０のゲートオン（ＯＮ）信号（又はハイレベルと称する）が持続する時間はＴである。
【００３５】
液晶パネル１が３Ｄ表示される時、ｎ行目の画素Ｐに電気的に連結された電荷充電ゲート線１４０に間隔型の駆動信号１９０のゲートオン（ＯＮ）信号が印加され、ｎ行目の画素Ｐに電気的に連結された電荷充電ゲート線１４０に印加された間隔型の駆動信号１９０の持続時間内に、ｎ＋２行目の画素Ｐ、ｎ＋４行目の画素Ｐ、……、ｎ＋ｍ行目の画素Ｐにそれぞれ電気的に連結された電荷充電ゲート線１４０にはいずれも間隔型の駆動信号１９０のゲートオン（ＯＮ）信号が印加され、この時、ｎ行目の画素Ｐに電気的に連結された電荷共有ゲート線１５０とｎ＋ｍ行目の画素Ｐに電気的に連結された電荷充電ゲート線１４０は電気的に連結されるため、ｎ行目の画素Ｐに電気的に連結された電荷共有ゲート線１５０にも間隔型の駆動信号１９０のゲートオン（ＯＮ）信号が印加され、Ｓｕｂ領域１２０の共有コンデンサ１３２をターンオンさせ、Ｍａｉｎ領域１１０、Ｓｕｂ領域１２０及び共有コンデンサ１３２はいずれも完全に充電され、Ｖｍ＝Ｖｓｕｂ＝Ｖ１３２であり、ＶｍはＭａｉｎ領域１１０への充電電圧であり、ＶｓｕｂはＳｕｂ領域１２０への充電電圧であり、Ｖ１３２は共有コンデンサ１３２への充電電圧であり、ｎ＋ｍ行目の画素Ｐに電気的に連結された電荷充電ゲート線１４０に間隔型の駆動信号１９０のゲートオン（ＯＮ）信号が印加される場合、ｎ行目の画素Ｐに電気的に連結された電荷共有ゲート線１５０にも間隔型の駆動信号１９０のゲートオン（ＯＮ）信号が印加され、共有コンデンサ１３２が完全に充電されたため、Ｓｕｂ領域１２０は共有コンデンサ１３２へ放電することができず、Ｖｍ＝Ｖｓｕｂにし、さらに、液晶パネル１が３Ｄ表示される時の低い色ずれを無効にし、ＩＳ残像及び左右眼の輝度差が発生しない。
【００３６】
本発明の実施例による液晶パネル１は、一般的に液晶ディスプレイに用いられ、具体的には、図８に示すように、液晶ディスプレイを組み合わせて形成するために、本発明の実施例による液晶パネル１は、バックライトモジュール２に対向するように固定配置され、液晶パネル１に映像を表示させるために、バックライトモジュールは液晶パネル１に表示光源を提供する。
【００３７】
既にその例示的な実施例を参照しながら本発明を具体的に示し説明したが、当業者であれば、請求項により限定された本発明の精神及び範囲を逸脱しない限り、形式及び詳細における様々な変更を行うことができることを理解すべきである。
【図１】
2017502342.tif 000003
【図２ａ】
2017502342.tif 000004
【図２ｂ】
2017502342.tif 000005
【図３】
2017502342.tif 000006
【図４】
2017502342.tif 000007
【図５】
2017502342.tif 000008
【図６】
2017502342.tif 000009
【図７】
2017502342.tif 000010
【図８】
2017502342.tif 000011
【国際調査報告】
2017502342.tif 000012
2017502342.tif 000013
2017502342.tif 000014
2017502342.tif 000015